【事件の表示】
　特願２００８−　３２５６９「ポインティングデバイス」拒絶査定不服審判事件〔平成２１年　８月２７日出願公開、特開２００９−１９３２７９〕について、次のとおり審決する。
【結　論】
　本件審判の請求は、成り立たない。
【理　由】
１．手続の経緯・本願発明
　
　本件は、平成２０年２月１４日の出願であって、平成２３年４月２７日付けで最後の拒絶理由が通知され、同年６月１６日付けで手続補正がなされたが、同年１０月７日付けで前記６月１６日付けの手続補正について補正の却下の決定がなされると共に拒絶査定がなされ、これに対して、同年１２月２１日に、前記補正の却下の決定ならびに前記拒絶査定を不服として拒絶査定不服の審判が請求され、平成２５年２月２２日付けで当審で、前記平成２３年１０月７日付けの補正の却下の決定を取り消すと共に拒絶理由が通知され、同年４月１５日付けで手続補正がなされたものである。
　
　そして、本願の特許請求の範囲の請求項１に係る発明（以下、「本願発明」という。）は、平成２５年４月１５日付け手続補正書の特許請求の範囲の請求項１に記載された次のとおりのものと認める。
　
　「【請求項１】
　コンピュータ入力用機器と、
　前記機器の内部に取付けられ、円周状に配置された複数の円弧状の銅板および前記複数の円弧状の銅板に対向して設けられたドーナツリング状の導電性シリコンゴムを有し、前記導電性シリコンゴムが押されたときその押された力に応じた前記銅板と前記導電性シリコンゴムの間の静電容量の変化によって得られる圧力情報と導電性シリコンゴムの押された部分を前記銅板と前記導電性シリコンゴムの間の静電容量の変化によって得られる方位情報として同時に検出する静電容量式圧力検出センサと、
　前記導電性シリコンゴムを親指で押すために前記導電性シリコンゴムに対して取付けられたキートップと、
　人差し指で操作するように前記機器に配置されたクリックスイッチと、を有し、
　前記静電容量式圧力検出センサからの前記圧力情報および前記方位情報の出力信号と前記クリックスイッチからの出力信号がコンピュータに入力されて前記圧力情報に応じた速さで前記方位情報に応じた方位にコンピュータ画面上のカーソルを移動させかつ移動位置を決定する操作のために使用され、
　前記機器は、前記キートップがほぼ中央表面に配置される平らな部分的に円弧状部分と、中指、薬指および小指で把持するための円弧状部分から延びた部分とからなり、前記クリックスイッチが、前記円弧状部分の前記キートップとは反対側で、かつ円弧状部分から延びた部分とは反対側の背面上部に配置されている、
　ことを特徴とするポインティングデバイス。」
　
２．引用例等
　
　当審の拒絶理由で引用された本願の出願日前に頒布された特表平１１−５０６８５７号公報（以下、「引用例１」という。）には、図面とともに以下の事項が記載されている。
　
ａ）「本発明によると、コンピュータなどの電子装置で使用される位置決め装置の性質を帯びるトリガ作動の電子装置が得られる。この位置決め装置は、マウスの機能を果たす装置である。このマウスは携帯用、あるいは台上で作動しないという意味では自立型である。」（第１１頁４〜７行の記載。）
　
ｂ）「
マウス位置決め装置１０は、コンピュータ１１と共に使用
少なくとも一部を手１６の二本の指１４、１５の間に挟むためのマウス用ハウジング１３が形成
　
ハウジング１３内の基板１８には、電子回路１７が搭載されている。電子回路１７は、電子回路１７を選択的に開閉するための、圧力応答性を有する第一のスイッチ１９を含む。基板１８上には導電性素子２０も配列
　
第一の制御素子２０が、ハウジング１３に取り付けられていて、これは、指１４の圧力に応答し、この第一の制御素子２０に加えられる圧力によって、素子２０が、スイッチ１９を作動させる。この第一の制御素子２０は、ヒンジ２１に対して可動であって、指１４の作用によって、制御素子２０は、このヒンジ２１の軸を中心にしてトリガとして旋回させられ、それによって、スイッチ１９と相互作用を行う
　
第二の制御素子２２はボタンであって、圧力変換器として働き、可撓性の材料を含む。素子２２は、圧力がこの可撓性材料に対して種々の方向および場所に加えられると、その圧力が基板１８上の導電性素子２０間の電気的関係を変化させるような作用をなすように取り付けられている。これによって、電子回路１７からの出力信号は変化する
　
ｃ）「
第一の制御素子２０は第二の制御素子２２のほぼ下に配置され、かつこの第一の制御素子２０はハウジング１３の底面２７内にある
ハウジング
  
ハウジング１３は、前端部２８、後端部２９、向かい合った両側部３０、３１、上面３２、底面２７とを有する。上面３２はほぼ楕円形を有する
  ハウジング１３は三個のポート３３、３４、３５を含む。第一のポート３３は第一の制御素子２０を配置するためのものであり、第二のポート３４は第二の制御素子２２を配置するためのものであり、第三のポート３５は第三の制御素子３６を配置するためのものである。
 
 ハウジング１３の後部２３は、電池２５の少なくとも一部分を収納するためにハウジング１３から下方に張り出している胴部３７を含む。この胴部３７は、手１６の手のひら３８の少なくとも一部に入れるためのものである
  
第一の制御素子２０も第二の制御素子２２も、ハウジング１３の比較的前部に配置されている。第一の制御素子２０は、手１６の人差し指１４によって操作するようになっている。また第二の制御素子２２は、手１６の親指１５によって操作するようになっている
　
ｄ）「電子回路の圧力変換器の作動の仕方は、図５に関連して以下に説明するようなものである。
　上部覆い導電性素子配列２０は、標識番号４１−４５を持つ五つの異なった端子を有する。上部覆い導電性素子２０の下には、単位正方形当たり所定のの抵抗値（例えば５００Ω／平方mm）を持つ導電性板４６が設けられている。
　端子４１−４５は、それぞれ、導電性素子２０上の異なる線路４７（すべて導電性のもの）に接続されている。導電性板４６と接触する導電性線路４７の数が多ければ多いほど、抵抗は小さくなる。電子にとっては、電流を運ぶ面積がより大きくなる。
　端子４１は共通の線路である。端子４１は、他のすべての線路に挟まれた「フィンガー」を有している。線路４１は他のすべての線路のための回路を完全なものにしている。
　線路４２は「下」線路である。線路４３は「左」線路である。線路４４は、白で示されるが、「上」線路である。線路４５は「右」線路である。
　ユーザが制御素子２２の底部を押し下げると、その圧力によって、線路４１、と、他の四本の線路４２−４５の一本以上と、導電性板４６との間に強制的な接触が引き起こされる。
　例えば、圧力変換器の働き方について、二つのシナリオが説明される。第一の例は、ユーザが、コンピュータ１１のコンピュータ・モニタ１５０上のカーソル４９を、画面１５１上でまっすぐ上に、すなわち北の方向に動かしたい場合であり、第二の例は、ユーザが、カーソル４９を、画面１５１上で南西の方向に動かしたい場合である。
　例１．まっすぐ上に（北の方向）
　
ユーザがカーソル４９をまっすぐ北方向に動かすためには、ユーザは当然、親指１５を前方、すなわちマウス１０のＬＥＤ発光窓４０の方に向かって押せばよい
　ユーザが
マウス１０をより速く動かしたい場合は、ユーザは当然、前方へ、より強く押せばよい
　例２．南西の方向
　ユーザがカーソル４９を南西方向に動かすためには、ユーザは当然、親指１５を後方へ引っ張ればよい。右利きのマウス・ユーザにとっては、これは、手のひら１６から親指を押し離すことである。この動作によって、線路４１は線路４３と接触し、このためカーソル４９は左の方へ動く。さらにまた、線路４４は線路４２と接触し、これによりカーソル４９は下の方へ動く。例１の場合と同様に、ユーザが上記の方向へ強く押せば押すほど、線路４７と導電性板４６との間の接触面積は大きくなり、この結果カーソル４９はより速く動くことになる。
　
他のいかなる動かし方をしたい場合も、以上の二例と類似の動作をすればよい
　
ｅ）「第一の制御素子
　
第一の制御素子２０は、指の圧力に応答し、この第一の制御素子２０に加わる圧力は、その素子にスイッチ１９を作動させ
スイッチ１９は機械的素子で、その作用はクリック、あるいはカーソルのドラッグに影響を及ぼすことができる
第二の制御素子
　第二の制御素子２２は、ハウジング１３に取り付けられていて、親指の圧力に応答するものである。圧力がこの第二の制御素子２２に対して選ばれた場所および方向で加えられると、その圧力は導電性線路４７と板４６との間の電気的条件を変化させるように作用する。
  
ハウジング１３は、第一の制御素子２０を収納するための適合外形ステップ５０を含む。この適合外形ステップは、概して手１６の人差し指１４を載せる位置を提供するための第一の面５１と、概して手１６の中指５３を載せる位置を提供するための後面５２とを有している
　
ｆ）図１には、ハウジング１３の上面３２はほぼ楕円形であり、前端部２８は略円弧形状であることが、図４には、ハウジング１３の底面２７の適合外形ステップ５０の後面５２より後端部２９側が中指、薬指、小指で把持されることが、図６には、第二の制御素子２２がハウジング１３上面３２の比較的前部でほぼ中央に配置されることが、それぞれ示されている。
　
　上記引用例１記載の事項及び図面より、引用例１には以下の発明（以下「引用例１記載の発明」という。）が記載されていると認められる。
　「マウス位置決め装置１０は、コンピュータ１１と共に使用され、少なくとも一部を手１６の二本の指１４、１５の間に挟むためのマウス用ハウジング１３が形成されており、
　ハウジング１３内の基板１８には、電子回路１７が搭載され、電子回路１７は、電子回路１７を選択的に開閉するための、圧力応答性を有する第一のスイッチ１９を含み、基板１８上には導電性素子２０も配列されており、
　第一の制御素子２０が、ハウジング１３に取り付けられていて、これは、指１４の圧力に応答し、この第一の制御素子２０に加えられる圧力によって、素子２０が、スイッチ１９を作動させ、この第一の制御素子２０は、ヒンジ２１に対して可動であって、指１４の作用によって、制御素子２０は、このヒンジ２１の軸を中心にしてトリガとして旋回させられ、それによって、スイッチ１９と相互作用を行い、
　第二の制御素子２２はボタンであって、圧力変換器として働き、可撓性の材料を含み、素子２２は、圧力がこの可撓性材料に対して種々の方向および場所に加えられると、その圧力が基板１８上の導電性素子２０間の電気的関係を変化させるような作用をなすように取り付けられており、これによって、電子回路１７からの出力信号は変化し、
　第一の制御素子２０は第二の制御素子２２のほぼ下に配置され、かつこの第一の制御素子２０はハウジング１３の底面２７内にあり、
　ハウジング１３は、前端部２８、後端部２９、向かい合った両側部３０、３１、上面３２、底面２７とを有し、上面３２はほぼ楕円形を有し、
　ハウジング１３の後部２３は、電池２５の少なくとも一部分を収納するためにハウジング１３から下方に張り出している胴部３７を含み、この胴部３７は、手１６の手のひら３８の少なくとも一部に入れるためのものであり、
　第一の制御素子２０も第二の制御素子２２も、ハウジング１３の比較的前部に配置されており、第一の制御素子２０は、手１６の人差し指１４によって操作するようになっており、第二の制御素子２２は、手１６の親指１５によって操作するようになっており、
　例えば、ユーザがカーソル４９をまっすぐ北方向に動かすためには、親指１５を前方、すなわちマウス１０のＬＥＤ発光窓４０の方に向かって押し、ユーザがマウス１０をより速く動かしたい場合は、前方へ、より強く押せばよく、
　他のいかなる動かし方をしたい場合も、類似の動作をすればよく、
　第一の制御素子２０は、指の圧力に応答し、この第一の制御素子２０に加わる圧力は、その素子にスイッチ１９を作動させ、スイッチ１９は機械的素子で、その作用はクリック、あるいはカーソルのドラッグに影響を及ぼすことができ、
　ハウジング１３の上面３２はほぼ楕円形であり、前端部２８は略円弧形状であり、
　ハウジング１３の底面２７の適合外形ステップ５０の後面５２より後端部２９側が中指、薬指、小指で把持され、
　第二の制御素子２２がハウジング１３の上面３２の比較的前部でほぼ中央に配置される
　マウス位置決め装置１０。」
　
　当審の拒絶理由で引用された本願の出願日前に頒布された特開２００７−３２８４７０号公報（以下「周知例１」という。）には、図面とともに以下の事項が記載されている。
　
ｇ）「【００４９】
詳しくは後述するが多方向入力装置１は、可動電極２０、固定電極２１、方向キー１１（図１においては図示せず）を備える。
【００５０】
固定電極２１は、４つ（後述のように数については適宜変更できる。）に分割されている
可動電極２０は方向キー１１の任意方向の押し下げ操作に伴って移動する
【００５１】
可動電極２０と、固定電極２１ａ、２１ｂ、２１ｃ、２１ｄそれぞれとは、上下左右方向に四つの容量素子を構成する
【００５２】
Ｃ／Ｖ変換ＩＣ２０１、Ａ／Ｄ２０２、ＣＰＵ２０３等は制御部を構成する。制御部を構成するＡ／Ｄ２０２又はＣＰＵ２０３等は、信号処理回路等の論理回路に適宜変更可能である。
【００５３】
制御部は、方向キー１１の任意方向の押し下げに伴う静電容量の変化から押し下げた前記任意方向を検知する処理を行う
【００５４】
また、
制御部は、前記の静電容量の変化から方向キー１１の任意方向の押し下げに用いた力の強さ及び又は力の速さもさらに測定する処理を行う
【００５５】
上記四つの容量素子の静電容量の変化による静電容量の変化量は、Ｃ／Ｖ変換ＩＣ２０１が電圧値の変化量（ΔＶ）に変換する。電圧値の変化量はＡ／Ｄ２０２によりデジタル信号に変換され、ＣＰＵ２０３は変換されたデジタル信号から上記四つの静電容量の変化量を認識する。
この認識した四つの静電容量の変化量から押し下げた方向キー１１の任意方向を検知する。このように静電容量の変化量（ここでは、特に各容量素子の静電容量の変化のバランス）を方向検知に用いることにより、理論的には３６０度全ての任意方向の検知が可能である。そしてＣＰＵ２０３は、この任意方向に対応するように後述の画面上のポインタ４ａを移動させる等、方向検知した任意方向に応じて処理を行う
【００５６】
さらに静電容量の変化量で、方向キー１１の任意方向を押し下げに用いた力の強さ及び又は力の速さもさらに測定できる。力の強さは静電容量の変化量から分かる。また、力の速さは前記変化量を押し下げに要した時間で割ればよい。制御部はこの力の強さ及び又は力の速さに応じた処理が出来る。両者を測定してこれに応じた処理を行うとすると、例えば、画面上のポインタ４ａを方向キー１１により移動させる場合、
方向キー１１の任意方向をどの程度押し下げたか（力の強さ）に対応してポインタ４ａの移動量を決定し移動させ、方向キー１１の任意方向をどの程度の速さで押し下げたか（力の速さ）により、ポインタ４ａの移動速度を決定して移動させる
　
ｈ）「【０１００】
可動電極２０は、例えば導電性ゴム材、導電インク等をシート状部材７の台座７ｃに印刷、吐出して形成する
　
ｉ）「【０１０６】
固定電極２１は例えば銅等により形成される
　
　当審の拒絶理由で引用された本願の出願日前に頒布された特開２００４−４５１７８号公報（以下「周知例２」という。）には、図面とともに以下の事項が記載されている。
　
ｊ）「【０００２】
【従来の技術】
静電容量式センサは、操作者によって加えられた力の大きさおよび方向を電気信号に変換する装置として一般的に利用されている。例えば、携帯電話の入力装置として、多次元方向の操作入力を行うための静電容量式センサをいわゆるジョイスティックとして組み込んだ装置が利用されている
　
ｋ）「【００３３】
ＦＰＣ１１上には、
略扇形である容量素子用電極Ｅ１〜Ｅ４
【００３４】
ここで、容量素子用電極Ｅ１はＸ軸の正方向に対応するように配置され、容量素子用電極Ｅ２はＸ軸の負方向に対応するように配置されており、外部からの力のＸ軸方向成分の検出に利用される。また、容量素子用電極Ｅ３はＹ軸の正方向に対応するように配置され、容量素子用電極Ｅ４はＹ軸の負方向に対応するように配置されており、外部からの力のＹ軸方向成分の検出に利用される。また、決定スイッチ用固定電極Ｅ２１は、原点Ｏ上に配置されており、決定スイッチ用可動電極Ｅ２２とともに、入力などの決定操作に利用される。
【００３５】
なお、一対の容量素子用電極Ｅ１および容量素子用電極Ｅ２とは、Ｘ軸方向に離隔してＹ軸に対して線対称に配置されている。また、一対の容量素子用電極Ｅ３および容量素子用電極Ｅ４は、Ｙ軸方向に離隔してＸ軸に対して線対称に配置されている。
【００３６】
そして、
ＦＰＣ１１の上方には、図５に示すような変位電極１２が配置されている
【００３７】
なお、
変位電極１２としては、金属製のものの他、例えば導電性プラスチック、シリコンゴムなどの導電性ゴム、導電性熱可塑性樹脂（ＰＰＴ、エラストマー）などで形成されたものであってもよい
　
ｌ）「【００４８】
なお、絶縁膜１３が、上述したように、ＦＰＣ１１上の容量素子用電極Ｅ１〜Ｅ４に密着して覆うように配置されているため、
銅などで形成された容量素子用電極Ｅ１〜Ｅ４
　
ｍ）「【００５２】
静電容量式センサ１では、変位電極１２とＦＰＣ１１上の容量素子用電極Ｅ１〜Ｅ４との間には、共通の電極である変位可能な変位電極１２と、固定された個別の容量素子用電極Ｅ１〜Ｅ４で形成される容量素子Ｃ１〜Ｃ４が構成されている
　
ｎ）「【００５８】
その後、引き続き、
方向ボタン３２が押し下げられると、支持部材６０、樹脂シート７０および変位電極１２がさらに弾性変形を生じてたわみ
　
ｏ）「【００６４】
次に、
容量素子Ｃ１〜Ｃ４のそれぞれの静電容量値の変化から、検知ボタン３０の方向ボタン３２への外部からの力の大きさおよび方向を示す出力信号の導出
　
　当審の拒絶理由で引用された本願の出願日前に頒布された特開２００２−１８１６４０号公報（以下「周知例３」という。）には、図面とともに以下の事項が記載されている。
　
ｐ）「【０００１】
【発明の属する技術分野】
本発明は力検出装置に関し、特に、ゲーム用コントローラや小型電子機器の操作入力を検出するのに適した力検出装置に関する
　
ｑ）「【００２３】この力検出装置の基本的な構成要素は、基板１０および起歪体２０、ならびに複数の電極群である。この実施形態では、操作性を向上させるため、起歪体２０の上部にキャップ３０を被せるようにしている。また、起歪体２０の周囲部分は固定部材４０によって、基板１０に固定されている。
【００２４】基板１０は、平板状の基本構成要素であり、この実施形態の場合、一般的な回路実装用のプリント回路基板を用いている。このように基板１０としてプリント回路基板を用いると、電極や配線を基板１０上に形成することが容易になり、量産に適した力検出装置を実現することができる。ここでは、説明の便宜上、この基板１０の上面の中心部に座標系の原点Ｏを定義し、図示のとおり、基板１０の上面がＸＹ平面に含まれるようなＸＹＺ三次元座標系を定義する。図２は、この基板１０の上面図である。基板１０の中心、すなわち、原点Ｏの位置には、薄型スイッチＳＷが配置されている。この薄型スイッチＳＷは、上方から押し込むような力（Ｚ軸方向成分を有する押圧力）に基づいて動作するスイッチであり、定常状態ではＯＦＦ状態を維持しているが、押圧力が加わるとＯＮ状態に変化する。薄型スイッチＳＷの具体的な構造は、どのようなものを採用してもかまわないが、この実施形態では、金属ドーム５１の変形を利用して動作する機械式スイッチ（構造については後述する）を用いている。
【００２５】この薄型スイッチＳＷの周囲には、
４枚の内側電極Ｅ１１〜Ｅ１４が形成
　
ｒ）「【００２８】一方、
起歪体２０にキャップ３０を被せてなる構造体
【００２９】図４の下面図に示されているとおり、
起歪体２０の下面（作用部２１の外側部分および可撓部２２の内側部分）には、ワッシャ状の変位電極Ｅ２０が配置されている。この変位電極Ｅ２０は、図１の側断面図に示されているとおり、各内側電極Ｅ１１〜Ｅ１４と、共通外側電極Ｅ１０とのそれぞれに対向するような形状および大きさを有しており、起歪体２０下面の変位を生じる位置に形成されている
第１の内側電極Ｅ１１と変位電極Ｅ２０の一部分とによって第１の容量素子Ｃ１１が形成され、第２の内側電極Ｅ１２と変位電極Ｅ２０の一部分とによって第２の容量素子Ｃ１２が形成され、第３の内側電極Ｅ１３と変位電極Ｅ２０の一部分とによって第３の容量素子Ｃ１３が形成され、第４の内側電極Ｅ１４と変位電極Ｅ２０の一部分とによって第４の容量素子Ｃ１４が形成される
【００３０】
キャップ３０は、その本体として機能する操作体３１と、この操作体３１の中心位置から下方へと伸びた押圧棒３２と、によって構成されており、作用部２１に接着されている
　
ｓ）「【００３６】続いて、二次元力センサとしての機能を説明しよう。ここでは、図３に示す位置Ｐ１１を指で押し込むようなＸ軸正方向への操作入力が加えられた場合を例にとって説明を行うことにする。図７は、このようなＸ軸正方向への操作入力に相当する力Ｆ１１が加えられたときの起歪体２０の変形状態を示す側断面図である。図示のとおり、力Ｆ１１により可撓部２２が撓み、作用部２１がＸ軸正方向に向けて傾斜することになる。このとき、力Ｆ１１がある程度以上の大きさであれば、押圧棒３２の先端部が薄型スイッチＳＷに対して押圧力を加えて薄型スイッチＳＷがＯＮ状態となり、この押圧棒３２の先端部が支点として機能することにより、図示のとおり、第１の容量素子Ｃ１１（第１の内側電極Ｅ１１と変位電極Ｅ２０の対向部分とによって構成される容量素子）の電極間隔は狭くなり、逆に、第２の容量素子Ｃ１２（第２の内側電極Ｅ１２と変位電極Ｅ２０の対向部分とによって構成される容量素子）の電極間隔は広くなる。その結果、第１の容量素子Ｃ１１の静電容量値Ｃ１１は増加し、第２の容量素子Ｃ１２の静電容量値Ｃ１２は減少する。したがって、
静電容量値Ｃ１１，Ｃ１２の差をとれば、この差は、作用部２１のＸ軸方向への傾斜量を示す
　
ｔ）「【００６７】(6) 各電極の材質
本発明に係る力検出装置の各部に配置される電極は、導電性をもった材料であれば、どのような材質のものを用いてもかまわない。ただ、各電極を弾性材料を用いて構成しておくと、電極間の接触あるいは電極と絶縁膜との接触が生じたときに、電極自身がある程度の弾性変形を生じることができ、接触時の密着性が向上する効果が期待できる。これは、検出ダイナミックレンジを広げる上で効果的である。
【００６８】もっとも、実用上は、基板として回路用プリント基板を用いるのであれば、基板上に形成される
内側電極および外側電極は、銅などの金属からなる
【００６９】具体的には、
変位電極を導電性ゴムまたは導電性エラストマによって構成
　
　本願の出願日前に頒布された特開平６−２１４７１４号公報（以下、「周知例４」という。）には、図面とともに以下の事項が記載されている。
　
ｕ）「【０００６】
【実施例】次に、図面を参照して本発明の実施例を説明する。図１、図２は、本発明の実施例１を示す斜視図である。図１において、座標指示装置は、装置本体１を有し、
この装置本体１の上部には、回転方向、回転量により例えば表示画面（図示せず）内のカーソル（図示せず）の座標を決定するボール部４が回転可能に配置
この装置本体１の前方には第１ボタン５と第２ボタン６が配置されており、これらのボタンは、例えば１回または２回クリックすることによって、例えばカーソルで指示するアイコン（図示せず）を選択したり、終了させたり、画面上でカーソルを移動させたり等の表示画面上の種々の操作を行うのに利用される
【０００７】図２を参照すると、座標指示装置の使用法が示されている。図２に示すように、
ユーザは、親指１０をボールの４の上に載せ、人指し指１１を第１ボタン５に当て
　
　本願の出願日前に頒布された登録実用新案第３０７５４０９号公報（以下、「周知例５」という。）には、図面とともに以下の事項が記載されている。
　
ｖ）「【０００５】
　　【考案の実施の形態】
　図１、２、３に示されるように、本考案のカーソルポインティングデバイス１の底面には保留空間１１が形成され、保留空間１１のない部分に支持足１１１が形成され、並びに
カーソルポインティングデバイス１の上方に座標操作機構１２が設けられ、
複数の押しボタン１３が設置
　
ｗ）図４および図８には、カーソルポインティングデバイス１を把持し、親指で座標操作機構１２を、人差し指で押しボタン１３を操作することが示されている。
　
　本願の出願日前に頒布された実願平０５−３５３２３号（実開平０７−６８２３号）の願書に最初に添付した明細書及び図面の内容を記録したＣＤ−ＲＯＭ（平成７年１月３１日特許庁発行）（以下、「周知例６」という。）には、図面とともに以下の事項が記載されている。
　
ｘ）「【０００６】
　図１に示すように、
本考案に係る回転ボール式座標入力装置は、Ｘ、Ｙ方向の角度を認識する回転ボール７と、主に座標入力を行なう際に座標の決定・解除を行なうスイッチ４、主に作画入力するときに使用するスイッチ５
　
ｙ）図２には、「座標入力装置を操作する場合」と記載され、握り柄２を把持し、親指で回転ボールを、人差し指でスイッチ５を操作することが示されている。
　
　本願の出願日前に頒布された意匠登録第１１０４３６８号公報（以下、「周知例７」という。）には、図面とともに以下の事項が記載されている。
　
ｚ）「【意匠に係る物品の説明】本物品は、左側面図中央部に表れるケーブル接続部に、電子計算機に接続されたケーブルを接続して使用するもので、例えば、上記電子計算機に接続されたＣＲＴに表示された案内に従って、本体正面に設けられた１１個の押しボタンスイッチと、
八方向傾斜操作機能付き押しボタンスイッチ（カーソル移動用スイッチ）、及び右側面図中央部に設けられた押しボタンスイッチと
　
３．対比
　
　本願発明と引用例１記載の発明とを対比する。
　
（１）引用例１記載の発明の「マウス位置決め装置１０」は、本願発明の「コンピュータ入力用機器」及び「ポインティングデバイス」に相当する。
　
（２）引用例１記載の発明の「第二の制御素子２２」は「圧力変換器として働き」、「圧力がこの可撓性材料に対して種々の方向および場所に加えられると、その圧力が基板１８上の導電性素子２０間の電気的関係を変化させるような作用をなすように取り付けられており、これによって、電子回路１７からの出力信号は変化し」、「ユーザがマウス１０をより速く動かしたい場合は」「より強く押せ」ばよいものであり、「基板１８」は「マウス用ハウジング１３」内に設けられているから、引用例１記載の発明の「第二の制御素子２２」及び「導電性素子２０」は、本願発明の「前記機器の内部に取付けられ、円周状に配置された複数の円弧状の銅板および前記複数の円弧状の銅板に対向して設けられたドーナツリング状の導電性シリコンゴムを有し、前記導電性シリコンゴムが押されたときその押された力に応じた前記銅板と前記導電性シリコンゴムの間の静電容量の変化によって得られる圧力情報と導電性シリコンゴムの押された部分を前記銅板と前記導電性シリコンゴムの間の静電容量の変化によって得られる方位情報として同時に検出する静電容量式圧力検出センサ」と、「機器の内部に取付けられ」、「圧力情報と」「方位情報として同時に検出する」「圧力検出センサ」である点で一致する。
　
（３）引用例１記載の発明の「第二の制御素子２２」は「ボタンであって、圧力変換器として働き」、「手１６の親指１５によって操作するようになって」いるものであるから、引用例１記載の発明の「第二の制御素子２２」は、本願発明の「導電性シリコンゴムを親指で押すために前記導電性シリコンゴムに対して取付けられたキートップ」と、「圧力検出センサを親指で押すために」「取付けられたキートップ」である点一致する。
　
（４）引用例１記載の発明の「第一の制御素子２０」は、「ハウジング１３に取り付けられていて、これは、指１４の圧力に応答し、この第一の制御素子２０に加えられる圧力によって、素子２０が、スイッチ１９を作動させ」、「手１６の人差し指１４によって操作するようになって」いるものであるから、本願発明の「人差し指で操作するように前記機器に配置されたクリックスイッチ」に相当する。
　
（５）引用例１記載の発明の「第二の制御素子２２」は、「親指１５によって操作するようになっており」、「ユーザがカーソル４９をまっすぐ北方向に動かすためには、親指１５を前方、すなわちマウス１０のＬＥＤ発光窓４０の方に向かって押し、ユーザがマウス１０をより速く動かしたい場合は、前方へ、より強く押せばよく」、「他のいかなる動かし方をしたい場合も、類似の動作をすればよく」とされ、及び、引用例１記載の発明の「第一の制御素子２０」は、「指の圧力に応答し、この第一の制御素子２０に加わる圧力は、その素子にスイッチ１９を作動させ、スイッチ１９は機械的素子で、その作用はクリック、あるいはカーソルのドラッグに影響を及ぼす」とされていることは、本願発明の「静電容量式圧力検出センサからの前記圧力情報および前記方位情報の出力信号と前記クリックスイッチからの出力信号がコンピュータに入力されて前記圧力情報に応じた速さで前記方位情報に応じた方位にコンピュータ画面上のカーソルを移動させかつ移動位置を決定する操作のために使用される」ことと、「圧力検出センサからの前記圧力情報および前記方位情報の出力信号と前記クリックスイッチからの出力信号がコンピュータに入力されて前記圧力情報に応じた速さで前記方位情報に応じた方位にコンピュータ画面上のカーソルを移動させかつ移動位置を決定する操作のために使用される」点で一致する。
　
（６）引用例１記載の発明は「ハウジング１３は、前端部２８、後端部２９、向かい合った両側部３０、３１、上面３２、底面２７とを有し」、「ハウジング１３の上面３２はほぼ楕円形であり、前端部２８は略円弧形状」であり、「第二の制御素子２２も、ハウジング１３の比較的前部に配置されており」、「第二の制御素子２２がハウジング１３の上面３２の比較的前部でほぼ中央に配置され」るものであるから、引用例１記載の発明の「ハウジング１３」の「前端部２８」側よりの部分は、本願発明の「機器は、前記キートップがほぼ中央表面に配置される平らな部分的に円弧状部分」と、「機器は、前記キートップがほぼ中央表面に配置される部分的に円弧状部分」である点で一致する。
　
（７）引用例１記載の発明は「ハウジング１３は、前端部２８、後端部２９、向かい合った両側部３０、３１、上面３２、底面２７とを有し」、「ハウジング１３の後部２３は、電池２５の少なくとも一部分を収納するためにハウジング１３から下方に張り出している胴部３７を含み、この胴部３７は、手１６の手のひら３８の少なくとも一部に入れるためのものであり」、「ハウジング１３の底面２７の適合外形ステップ５０の後面５２より後端部２９側が中指、薬指、小指で把持され」るものであるから、引用例１記載の発明の「ハウジング１３」の「胴部３７」の、「後面５２」形成部分より「後端部２９」側の部分は、本願発明の「中指、薬指および小指で把持するための円弧状部分から延びた部分」に相当する。
　
（８）引用例１記載の発明の「第一の制御素子２０は第二の制御素子２２のほぼ下に配置され、かつこの第一の制御素子２０はハウジング１３の底面２７内」にあることは、本願発明の「クリックスイッチが、前記円弧状部分の前記キートップとは反対側で、かつ円弧状部分から延びた部分とは反対側の背面上部に配置されている」ことと、「クリックスイッチが、前記円弧状部分の前記キートップとは反対側の背面に配置されている」点で一致する。
　
　したがって、両者は以下の一致点と相違点とを有する。
　
＜一致点＞
　
　「コンピュータ入力用機器と、
　前記機器の内部に取付けられ、圧力情報と方位情報として同時に検出する圧力検出センサと、
　前記圧力センサを親指で押すために取付けられたキートップと、
　人差し指で操作するように前記機器に配置されたクリックスイッチと、を有し、
　前記圧力検出センサからの前記圧力情報および前記方位情報の出力信号と前記クリックスイッチからの出力信号がコンピュータに入力されて前記圧力情報に応じた速さで前記方位情報に応じた方位にコンピュータ画面上のカーソルを移動させかつ移動位置を決定する操作のために使用され、
　前記機器は、前記キートップがほぼ中央表面に配置される部分的に円弧状部分と、中指、薬指および小指で把持するための円弧状部分から延びた部分とからなり、前記クリックスイッチが、前記円弧状部分の前記キートップとは反対側の背面に配置されている、
　ことを特徴とするポインティングデバイス。」
　
＜相違点１＞
　
　本願発明は「圧力検出センサ」が「静電容量式圧力検出センサ」であり、「円周状に配置された複数の円弧状の銅板および前記複数の円弧状の銅板に対向して設けられたドーナツリング状の導電性シリコンゴムを有し、前記導電性シリコンゴムが押されたときその押された力に応じた前記銅板と前記導電性シリコンゴムの間の静電容量の変化によって得られる圧力情報と導電性シリコンゴムの押された部分を前記銅板と前記導電性シリコンゴムの間の静電容量の変化によって得られる方位情報として同時に検出する」ものであるのに対し、引用例１記載の発明の「圧力変換器」として働く「第二の制御素子２２」は静電容量式圧力検出センサでない点。
　
＜相違点２＞
　
　本願発明の「キートップ」は「静電容量式圧力検出センサ」の「導電性シリコンゴムに対して取付けられ」ているのに対し、引用例１記載の発明の「第二の制御素子２２」は「導電性シリコンゴムに対して取り付けられ」たものでない点。
　
＜相違点３＞
　
　本願発明の「キートップ」が配置される「部分的に円弧状部分」が「平ら」であるのに対し、引用例１記載の発明の「第二の制御素子２２」が配置される部分の「ハウジング１３」の「上面３２」が「平ら」であるのか不明である点。
　
＜相違点４＞
　
　本願発明の「クリックスイッチ」が配置されるのは「円弧状部分の前記キートップとは反対側で、かつ円弧状部分から延びた部分とは反対側の背面上部」であるのに対し、引用例１記載の発明の「第一の制御素子２０はハウジング１３の底面２７内」にあるものの、「「第一の制御素子２０は第二の制御素子２２のほぼ下に配置」されている点。
　
４．判断
　
＜相違点１および相違点２についての判断＞
　
　圧力検出センサを、円周状に配置された複数の円弧状の銅製電極と、リング状の導電性ゴムからなる電極とにより複数の容量素子を形成し、該複数の容量素子の静電容量の変化により、加えられた力の方向及び大きさを検出する静電容量式圧力検出センサとすること、および、リング状の導電性ゴムからなる電極に対して、指による操作部材を取り付けることは何れも、周知例１〜３に記載される（周知例１は、固定電極２１と、可動電極２０により、容量素子を形成し、可動電極２０を移動させる方向キー１１を設けることが記載されている。周知例２には、容量素子用電極Ｅ１〜Ｅ４と、変位電極１２により、容量素子を形成し、変位電極１２をたわませる方向ボタン３２を設けることが記載されている。周知例３には、内側電極Ｅ１１〜Ｅ１４と、変位電極Ｅ２０により、容量素子を形成し、変位電極Ｅ２０に変位を生じる起歪体２０およびキャップ３０を設けることが記載されている。）ように本願出願前周知技術である。
　また、銅製の電極として銅板を、導電性ゴムの電極の材料として導電性シリコンゴムを用いることは、当業者が適宜為し得る設計事項にすぎない。
　したがって、引用例１記載の発明に上記各周知技術を適用して、引用例１記載の発明の「圧力変換器」として上記静電容量式圧力検出センサを用いると共に、静電容量式圧力検出センサの導電性シリコンゴムに対してキートップを取付けて相違点１および相違点２に係る構成を得ることは、当業者が容易に為し得たことである。
　
＜相違点３および相違点４についての判断＞
　
　親指で操作され方位情報を入力するための素子を装置の平らな面に設けること、人差し指で操作されるボタンスイッチの素子を、前記方位情報を入力するための素子の配置位置より、装置の把持部分とは反対側の上部とすることは何れも、周知例４〜７に記載されるように本願出願前周知技術である。
　したがって、引用例１記載の発明に上記各周知技術を適用して、「キートップ」が配置される「部分的に円弧状部分」を「平ら」にすると共に、「クリックスイッチ」を「円弧状部分の前記キートップとは反対側で、かつ円弧状部分から延びた部分とは反対側の背面上部」に配置して相違点３および相違点４に係る構成を得ることは、当業者が容易になし得たことである。
　
　よって、本願発明は、引用例１記載の発明及び上記各周知技術に基づいて当業者が容易になし得たものである。
　
　そして、本願発明が奏する作用、効果についてみても、引用例１記載の発明及び上記周知技術から当業者が予想できる程度のものである。
　
５．むすび
　
　以上のとおり、平成２５年４月１５日付け手続補正書の特許請求の範囲の請求項１に記載された発明は、引用例１に記載された発明及び上記各周知技術に基づいて、当業者が容易に発明をすることができたものであるから、特許法第２９条２項の規定により特許を受けることができない。
　したがって、本願は拒絶すべきものである。
　よって、結論のとおり審決する。